(57)【要約】【課題】反射鏡への埃の堆積を減らすかもしくは実質的になくして、布類の検査精度を長期間維持することにある。【解決手段】拡げられた布類の表面または内部の汚れ等の異常を少なくとも前記布類の下側から検査する布類検査装置において、前記布類布類をそれぞれ搬送する送り出しコンベヤおよび受け取りコンベヤと、前記送り出しコンベヤと前記受け取りコンベヤとの間の隙間を移動している前記布類に光源から照射されてその布類を透過した検査光と、その布類から反射した検査光とのうち、少なくともその布類を透過した検査光によって前記布類を撮影して画像を出力するカメラと、前記送り出しコンベヤと前記受け取りコンベヤとの間の隙間を移動している前記布類の下方に位置してその布類と前記カメラとの間の光路を屈曲させる反射鏡と、前記反射鏡の反射面への埃の付着を減少させる埃避け手段と、を具えることを特徴としている。【選択図】図１
2014228399.tif 000002
【特許請求の範囲】
【請求項１】
拡げられた布類の表面または内部の汚れ等の異常を少なくとも前記布類の下側から検査する布類検査装置において、
前記布類布類をそれぞれ搬送する送り出しコンベヤおよび受け取りコンベヤと、
前記送り出しコンベヤと前記受け取りコンベヤとの間の隙間を移動している前記布類に光源から照射されてその布類を透過した検査光と、その布類から反射した検査光とのうち、少なくともその布類を透過した検査光によって前記布類を撮影して画像を出力するカメラと、
前記送り出しコンベヤと前記受け取りコンベヤとの間の隙間を移動している前記布類の下方に位置してその布類と前記カメラとの間の光路を屈曲させる反射鏡と、
前記反射鏡の反射面への埃の付着を減少させる埃避け手段と、
を具えることを特徴とする布類検査装置。
【請求項２】
前記埃避け手段は、前記反射鏡の反射面の向きを上向き（斜め上向きを含む）と真横もしくは下向き（斜め下向きを含む）との間で変更する反射鏡向き変更機構を有することを特徴とする、請求項１記載の布類検査装置。
【請求項３】
前記埃避け手段は、前記反射鏡の反射面を覆う使用位置と、前記反射鏡の反射面から外れる待機位置との間でカバーを移動させるカバー移動機構を有することを特徴とする、請求項１または２記載の布類検査装置。
【請求項４】
前記埃避け手段は、前記反射鏡の反射面に連続的または間欠的に風を吹きつけるブロー機構を有することを特徴とする、請求項１から３までの何れか１項記載の布類検査装置。
【請求項５】
前記ブロー機構は、風の吹き出し口を移動させる移動機構を有することを特徴とする、請求項４記載の布類検査装置。
【発明の詳細な説明】
【技術分野】
【０００１】
この発明は、布類洗濯工場等においてアイロンローラ等から搬出された、拡げられた布類の表面または内部の汚れや破れ等の異常を検出する布類検査装置に関し、特には、布類を下方から検査するための反射鏡への埃の堆積を減らすかもしくは実質的になくして検査精度を長期間維持する布類検査装置に関するものである。
【背景技術】
【０００２】
布類洗濯工場においては、病院やホテル等で使用されたシーツや布団カバー等の布類を洗濯した後、半乾きの状態で展張機により展張し、アイロンローラに送ってアイロン掛けし、折畳み機により折畳んで病院やホテル等へ再度供給している。
【０００３】
従って、上記洗濯処理中の布類の表面または内部に汚れや破れ等の異常があった場合には、その布類を上述した通常の洗濯処理ラインから排除して別途処理する必要があり、このため本願出願人は、布類の表面または内部の汚れや破れ等の異常を検出する布類検査装置として従来、例えば特許文献１記載のものを提案している。
【０００４】
この布類検査装置は、アイロンローラの下流側に配置される折畳み機と組み合わされて布類の表裏両面を検査するものであり、アイロンローラに連なる１番目のベルトコンベヤ上を搬送する布類の上向きの面（通常は表面を下向きにしてアイロンローラにかけるため、アイロンローラを出た時点では裏面）を上方から１番目のカメラで撮影し、次いでその１番目のベルトコンベヤの終端部から下部にかけて向き合わせた２番目のベルトコンベヤで、１番目のベルトコンベヤの終端部から垂れ下がった布類を裏返してから、その布類を１番目のベルトコンベヤと２番目のベルトコンベヤとで挟んで搬送し、その２番目のベルトコンベヤの終端部から３番目のベルトコンベヤに引き渡す間に、布類のもう一方の面（通常は表面）を２番目のカメラで撮影し、これらのカメラで撮影した画像から、布類の両表面の汚れ等を検出し、その汚れ等が検出された布類は、通常の洗濯処理ラインから排除している。
【０００５】
本願出願人はまた、光源と検査対象の布類と間の光路の変更のために反射鏡を用いた布類検査装置を、例えば特許文献２で提案している。
【先行技術文献】
【特許文献】
【０００６】
【特許文献１】特開２００９−２８５１０９号公報
【特許文献２】特開２０１１−２４２３３０号公報
【発明の概要】
【発明が解決しようとする課題】
【０００７】
ところで、本願出願人が上記従来の布類検査装置についてさらに研究を進めたところ、上記従来の布類検査装置では、布類の両面を検査するために検査対象の布類を裏返す必要があり、コンベヤの構成が複雑になるとともにカメラの配置の制約も大きいという不都合があることが判明し、この問題の解決のため本願出願人は、検査対象の布類をコンベヤ間で飛翔させ、その飛翔中の布類を下側から撮影する布類検査装置を特願２０１２−２４４３１８号にて提案しており、その場合に、カメラでシーツや布団カバー等の幅広の布類の幅全体を撮影するためには、カメラを布類からかなり離して配置する必要があって、布類の真下にカメラを配置したのでは装置全体の高さが高くなりすぎてしまうことから、本願出願人は上記特許文献２に鑑みて、上記出願では反射鏡を用いてカメラの光路を屈曲させることとした。
【０００８】
しかしながら、特許文献２の場合には反射鏡を下向きに配置しているためさほど問題がなかったが、上記出願の装置のように布類を下側から撮影する場合には反射鏡を上向きに配置する必要があり、その一方、布類洗濯工場は埃が多いため、反射鏡を上向きに配置して検査しようとする場合、埃が頻繁に反射鏡の反射面上に落下して付着することで埃の堆積が早期に生じ、堆積した埃が検査精度に影響を及ぼす可能性があることが判明した。
【課題を解決するための手段】
【０００９】
この発明は、上述の如き従来の布類検査装置の課題を解決するものであり、この発明の布類両面検査装置は、
拡げられた布類の表面または内部の汚れ等の異常を少なくとも前記布類の下側から検査する布類検査装置において、
前記布類布類をそれぞれ搬送する送り出しコンベヤおよび受け取りコンベヤと、
前記送り出しコンベヤと前記受け取りコンベヤとの間の隙間を移動している前記布類に光源から照射されてその布類を透過した検査光と、その布類から反射した検査光とのうち、少なくともその布類を透過した検査光によって前記布類を撮影して画像を出力するカメラと、
前記送り出しコンベヤと前記受け取りコンベヤとの間の隙間を移動している前記布類の下方に位置してその布類と前記カメラとの間の光路を屈曲させる反射鏡と、
前記反射鏡の反射面への埃の付着を減少させる埃避け手段と、
を具えることを特徴としている。
【発明の効果】
【００１０】
かかる本発明の布類検査装置にあっては、送り出しコンベヤと受け取りコンベヤとの間の隙間を移動している布類の下方に位置する反射鏡が、その布類とそれを撮影して画像を出力するカメラとの間の光路を横方向（斜め上下方向を含む）に屈曲させることにより、装置全体の高さをさほど高くせずして、シーツや布団カバー等の幅広の布類の幅全体をその布類からかなり離れた位置からカメラが撮影し、そして埃避け手段が、上記光路の屈曲のために上向き（斜め上向きを含む）となっている反射鏡の反射面への埃の付着を減少させる。
【００１１】
従って、本発明の布類検査装置によれば、拡げられた布類の表面または内部の汚れ等の異常をその布類の下側から検査するための反射鏡への埃の堆積を減らすかもしくは実質的になくして、布類の検査精度を長期間維持することができる。
【００１２】
なお、この発明の布類検査装置においては、前記埃避け手段は、前記反射鏡の反射面の向きを上向き（斜め上向きを含む）と真横もしくは下向き（斜め下向きを含む）との間で変更する反射鏡向き変更機構であると好ましい。このようにすれば、反射鏡向き変更機構で、反射鏡の使用時はその反射面の向きを上向き（斜め上向きを含む）とする一方、反射鏡の不使用時はその反射面の向きを真横もしくは下向き（斜め下向きを含む）にすることで、反射面に埃がほとんど落下付着せず、付着した埃も自重で反射面から落下するので、反射面への埃の付着を減少させることができる。
【００１３】
また、この発明の布類検査装置においては、前記埃避け手段は、前記反射鏡の反射面を覆う使用位置と、前記反射鏡の反射面から外れる待機位置との間でカバーを移動させるカバー移動機構であると好ましい。このようにすれば、カバー移動機構で、反射鏡の使用時はその反射面から外れる待機位置へカバーを移動させる一方、反射鏡の不使用時はその反射面を覆う使用位置へカバーを移動させることで、反射面に埃がほとんど落下付着しないので、反射面への埃の付着を減少させることができる。
【００１４】
さらに、この発明の布類検査装置においては、前記埃避け手段は、前記反射鏡の反射面に連続的または間欠的に風を吹きつけるブロー機構を有すると好ましい。ブロー機構で、反射鏡の反射面に連続的または間欠的に風を吹きつけることで、反射面に埃がほとんど落下付着せず、付着した埃も風の力で反射面から吹き落とされるので、反射面への埃の付着を減少させることができる。ここで、前記ブロー機構は、風の吹き出し口を移動させる移動機構を有すると、埃の吹き落とし機能が増すのでさらに好ましい。
【図面の簡単な説明】
【００１５】
【図１】この発明の布類検査装置の第１実施例の構成を示す側面図である。
【図２】上記実施例の布類検査装置のＡ部を拡大して示す説明図である。
【図３】（ａ）および（ｂ）は、上記実施例の布類検査装置のジャンプ台および受け台の構成を示す平面図および側面図である。
【図４】上記実施例の布類検査装置の反射鏡周辺部を拡大して示す説明図である。
【図５】この発明の布類検査装置の第２実施例の反射鏡周辺部を拡大して示す説明図である。
【図６】（ａ）は、この発明の布類検査装置の第２実施例の反射鏡周辺部を拡大して示す説明図、（ｂ）は、その反射鏡に風を吹きつけるブロー機構を示す、（ａ）中の矢印Ｂ方向から見た説明図である。
【発明を実施するための形態】
【００１６】
以下、本発明の実施の形態を実施例によって、図面に基づき詳細に説明する。ここに、図１は、この発明の布類検査装置の第１実施例の構成を示す側面図、図２は、その実施例の布類検査装置のＡ部を拡大して示す説明図、そして図３（ａ）および図３（ｂ）は、上記実施例の布類検査装置のジャンプ台および受け台の構成を示す平面図および側面図であり、図中符号１は通常のアイロンローラ、２は通常の折畳み機、３はこの実施例の布類検査装置をそれぞれ示す。
【００１７】
この実施例の布類検査装置３は、布類洗濯工場等において、アイロンローラ１と折畳み機２との間に配置され、そのアイロンローラ１から搬出されて折畳み機２に搬送される洗濯処理中の布類Ｆの表面または内部の汚れや破れ等の異常を検出するもので、ここにおける布類検査装置３は、両側に側板を持つ概略直方体の枠状の支持フレーム４と、その支持フレーム４内の図１では左側部分に設けられて、アイロンローラ１から搬出された拡げられた布類Ｆを受け取って図１では右方へ搬送する送り出しコンベヤ５と、その送り出しコンベヤ５に対しその搬送方向に間隔を空けるように支持フレーム４内の図１では右側部分に設けられて、送り出しコンベヤ５から送り出された拡げられた布類Ｆを図１では右方へ搬送し、折畳み機２からその前方に突出する搬入コンベヤ２ａに引き渡す受け取りコンベヤ６と、拡げられた布類Ｆを上記送り出しコンベヤ５からその受け取りコンベヤ６へジャンプさせる、ジャンプ手段としてのジャンプ台７および受け台８と、を具えている。
【００１８】
ここで、送り出しコンベヤ５および受け取りコンベヤ６は各々、図３（ａ）の平面図に示すように、互いに幅方向に隙間を空けて多数横並びに配置された幅狭のコンベヤベルト９を有しており、ジャンプ台７は、図２に拡大して示すとともに図３（ａ），（ｂ）の平面図および側面図に示すように、送り出しコンベヤ５の送り出し側端部（図１では右端部）に突設されている。ここで、ジャンプ台７は、受け取りコンベヤ６の受け取り側端部（図１では左端部）へ向かってコンベヤベルト９の隙間から多数の支持部を突き出した櫛状部７ａと、送り出しコンベヤ５の延在方向と直交する水平方向（図１では紙面と直交する方向）へ延在して櫛状部７ａの支持部の先端同士を連結する連結部７ｂとを有している。
【００１９】
また、受け台８は、これも図２に拡大して示すとともに図３（ａ），（ｂ）の平面図および側面図に示すように、受け取りコンベヤ６の受け取り側端部（図１では左端部）に突設されている。ここで、受け台８は、送り出しコンベヤ５の送り出し側端部（図１では右端部）へ向かってコンベヤベルト９の隙間から支持部を突き出すとともにその支持部の先端同士を連結部７ｂと同様の連結部で連結した櫛状部材を有している。そして、ジャンプ台７の先端と受け台８の先端との間には水平方向に隙間Ｇが設けられるとともに、上下方向にも僅かに高さの差が設けられ、ジャンプ台７の先端は、受け台８の先端よりも僅かに高く位置している。
【００２０】
さらに、この実施例の布類検査装置３は、上記隙間Ｇの斜め上方に配置された透過光源としてのＬＥＤ１０と、その隙間Ｇの斜め下方に送り出しコンベヤ５寄りおよび受け取りコンベヤ６寄りに振り分けて配置された反射光源としての蛍光管１１と、支持フレーム４の受け取りコンベヤ６側の側部にブラケット１２を介して取り付けられて送り出しコンベヤ５および受け取りコンベヤ６の延在方向と直交する水平方向（図１では紙面と直交する方向）へ延在する、カメラとしての１台または複数台の１次元ビデオカメラ（ラインセンサ）１３と、支持フレーム４内の中央部の下部に配置されて１次元ビデオカメラ１３と平行に延在する反射鏡１４と、を具えており、斜め下向きの１次元ビデオカメラ１３の光軸Ｌ１は、反射鏡１４の斜め上向きの反射面により斜め上向きに屈曲されて蛍光管１１の間および隙間Ｇを通り、透過光源としてのＬＥＤ１０に向けられている。
【００２１】
さらに、この実施例の布類検査装置３は、送り出しコンベヤ５上にその送り出しコンベヤ５の延在方向と直交する水平方向（図１では紙面と直交する方向）へ延在するように配置されてコンベヤベルト９の隙間から突出する支持部材で支持された暗色部としての黒板１５と、拡げられた布類Ｆをその黒板１５上で移動させるためにその黒板１５の上流側に突設された櫛状部材１６と、その黒板１５の斜め上方に送り出しコンベヤ５寄りおよび受け取りコンベヤ６寄りに振り分けて配置された他の反射光源としての蛍光管１７と、支持フレーム４の上部にブラケット１８を介して取り付けられて送り出しコンベヤ５および受け取りコンベヤ６の延在方向と直交する水平方向（図１では紙面と直交する方向）へ延在する、さらなるカメラとしての１次元ビデオカメラ（ラインセンサ）１９と、を具えており、１次元ビデオカメラ１９の光軸Ｌ２は、蛍光管１７の間を通り、黒板１５に向けられている。
【００２２】
かかる構成を具えるこの実施例の布類検査装置３にあっては、ジャンプ台７が、送り出しコンベヤ５が搬送している拡げられた布類Ｆを下から支持して、先端からその拡げられた布類Ｆをジャンプさせ、そして受け台８が、そのジャンプ台７からジャンプした拡げられた布類Ｆを受けて受け取りコンベヤ６に引き渡すことで、送り出しコンベヤ５から受け取りコンベヤ６へ、拡げられた布類Ｆをジャンプさせ、その間、図２に示すように、送り出しコンベヤ５と受け取りコンベヤ６との間の隙間Ｇをジャンプしている拡げられた布類Ｆに透過光源としてのＬＥＤ１０から照射されてその布類Ｆを透過した光と、その隙間Ｇをジャンプしている拡げられた布類Ｆに反射光源としての蛍光管１１から照射されてその布類Ｆから反射した光との両方によって、拡げられた布類Ｆを１次元ビデオカメラ１３が撮影してその布類Ｆの画像を出力する。
【００２３】
従って、この実施例の布類検査装置３によれば、送り出しコンベヤ５と受け取りコンベヤ６との間の隙間Ｇをジャンプしている拡げられた布類ＦにＬＥＤ１０から照射されてその布類Ｆを透過した光と、その隙間Ｇをジャンプしている拡げられた布類Ｆに蛍光管１１から照射されてその布類Ｆから反射した光との両方によってその布類Ｆを撮影した１次元ビデオカメラ１３が出力する画像をその布類Ｆの移動方向に繋げて２次元画像とし、その２次元画像に基づき、通常の画像処理装置等によって、拡げられた布類Ｆの図では下側の表面と内部とを検査することができるので、高い検査能力で、布類Ｆの内部の汚れや破れ等の異常の他、布類Ｆと同系色の表面の汚れ等の異常の検出も充分におこなうことができ、しかも、布類Ｆを透明な台上に通して透過光で検査を行うのではないから、透明な台の汚れや傷つき等によって検査能力が低下するということもないので、その高い検査能力を長期間維持することができる。
【００２４】
また、この実施例の布類検査装置３によれば、送り出しコンベヤ５上の拡げられた布類Ｆに反射光源としての蛍光管１７から照射されてその布類Ｆの表面から反射した光によってその布類を撮影して画像を出力する、さらなる１次元ビデオカメラ１９を具えており、その１次元ビデオカメラ１９が出力する画像をその布類Ｆの移動方向に繋げて２次元画像とし、その２次元画像に基づき、通常の画像処理装置等によって、拡げられた布類Ｆの図では上側の表面と内部とを検査することができるので、拡げられた布類Ｆの両表面の、透過光では透過してしまうような透明に近い汚れ等でも、２台のビデオカメラ１３，１９がそれぞれ出力する画像に基づき検出できることから、さらに高い検査能力を発揮することができる。
【００２５】
ところでこの実施例の布類検査装置３では、拡げられた布類Ｆの図では下側の表面と内部とを検査するためには反射鏡１４の反射面を斜め上向きにしている必要があることから、そのままでは埃が頻繁に反射鏡１４の反射面上に落下して付着することで埃の堆積が早期に生じ、堆積した埃が検査精度に影響を及ぼす可能性がある。そこでこの実施例の布類検査装置３では、図４に拡大して示すように、反射鏡１４が、図示例では角パイプ状のベースフレーム２０に取り付けられ、そのベースフレーム２０の両端部が支持軸２１により、図では紙面と直交する方向へ延在する水平軸線周りに回動可能に支持フレーム４に支持され、さらに、そのベースフレーム２０の一端部に基部を固定されたレバー２２の先端部が、支持フレーム４に後端部を揺動可能に支持されたエアシリンダ２３のピストンロッド２３ａの先端部に連結され、これらベースフレーム２０と支持軸２１とレバー２２とエアシリンダ２３とが、埃避け手段としての反射鏡向き変更機構２４を構成している。
【００２６】
この反射鏡向き変更機構２４によれば、エアシリンダ２３のピストンロッド２３ａを進退移動させることでベースフレーム２０とともに反射鏡１４を支持軸２１の軸線周りに回動させて、図４中に矢印で示すように、反射鏡１４の反射面（ベースフレーム２０側と反対の側に向く面）１４ａの向きを、図中実線で示す斜め上向きと、図中仮想線で示す斜め下向きとの間で変更することができることから、反射鏡１４の使用時（布類Ｆの検査時）はその反射面１４ａの向きを斜め上向きとする一方、反射鏡１４の不使用時（夜間や休業日等の布類Ｆの非検査時）はその反射面１４ａの向きを斜め下向きにしておくことで、反射面１４ａに埃がほとんど落下付着せず、付着した埃も自重で反射面から落下するので、反射面１４ａへの埃の付着を減少させることができる。
【００２７】
従って、反射鏡向き変更機構２４を有するこの実施例の布類検査装置３によれば、拡げられた布類Ｆの表面または内部の汚れ等の異常をその布類Ｆの下側から検査するための反射鏡１４への埃の堆積を減らすかもしくは実質的になくして、布類Ｆの検査精度を長期間維持することができる。
【００２８】
図５は、この発明の布類検査装置の第２実施例の反射鏡周辺部を拡大して示す説明図であり、この実施例の布類検査装置は、先の実施例と同様、送り出しコンベヤ５および受け取りコンベヤ６と、それらのコンベヤに設けられたジャンプ台７および受け台８と、それらの間の隙間Ｇをジャンプする拡げられた布類ＦをＬＥＤ１０の検査光の布類Ｆからの透過光および蛍光管１の検査光の布類Ｆからの反射光で撮影する下側の１次元ビデオカメラ１３と、ベースフレーム２０を介してフレーム４に支持されて１次元ビデオカメラ１３の光軸Ｌ１を屈曲させる反射鏡１４と、送り出しコンベヤ５上を移動する拡げられた布類Ｆを蛍光管１７の検査光の布類Ｆからの反射光で撮影する上側の１次元ビデオカメラ１９と、を具えており、埃避け手段の構成のみ異なっていることから、以下には埃避け手段について説明し、他の部分の説明は省略する。
【００２９】
すなわちこの実施例の布類検査装置は、図５に拡大して示すように、反射鏡１４が、図示例では角パイプ状のベースフレーム２０に取り付けられ、そのベースフレーム２０の両端部が支持フレーム４に、反射鏡１４の向きを調節可能に固定支持されており、そのベースフレーム２０の両端部の近傍に位置する支持軸２５を介して２個のブラケット２６（図では片側のみ示す）の基部が、図では紙面と直交する方向へ延在する水平軸線周りに回動可能に支持フレーム４に支持され、それらのブラケット２６の間に、図では紙面と直交する方向へ延在する図示例ではコ字状断面形状のカバー２７が配置されて、そのカバー２７の両端部がそれらのブラケット２６にそれぞれ固定支持され、さらに、ここでは図示しないが先の実施例と同様、それらの一方のブラケット２６に基部を固定されたレバー２２の先端部が、支持フレーム４に後端部を揺動可能に支持されたエアシリンダ２３のピストンロッド２３ａの先端部に連結され、これら支持軸２５とブラケット２６とカバー２７とレバー２２とエアシリンダ２３とが、埃避け手段としてのカバー移動機構２８を構成している。
【００３０】
このカバー移動機構２８によれば、エアシリンダ２３のピストンロッド２３ａを進退移動させることでブラケット２６とともにカバー２７を支持軸２５の軸線周りに回動させて、図５中に矢印で示すように、カバー２７を、図中仮想線で示す、反射鏡１４の反射面（ベースフレーム２０側と反対の側に向く面）１４ａを覆う使用位置と、図中破線で示す、反射鏡１４の反射面１４ａの正面から外れる待機位置との間で揺動させることができることから、反射鏡１４の使用時（布類Ｆの検査時）はカバー２７を待機位置に位置させて光軸Ｌ１と干渉しないようにする一方、反射鏡１４の不使用時（夜間や休業日等の布類Ｆの非検査時）はカバー２７を使用位置に位置させて反射面１４ａをカバー２７で上から覆っておくことで、反射面１４ａが露出している時間が減り、反射面１４ａに埃がほとんど落下付着しないので、反射面１４ａへの埃の付着を減少させることができる。
【００３１】
従って、カバー移動機構２８を有するこの実施例の布類検査装置３によれば、先の実施例と同様、拡げられた布類Ｆの両表面と内部の異常を検査できるとともに、拡げられた布類Ｆの表面または内部の汚れ等の異常をその布類Ｆの下側から検査するための反射鏡１４への埃の堆積を減らすかもしくは実質的になくして、布類Ｆの検査精度を長期間維持することができる。
【００３２】
図６（ａ）は、この発明の布類検査装置の第３実施例の反射鏡周辺部を拡大して示す説明図、図６（ｂ）は、その反射鏡に風を吹きつけるブロー機構を示す、（ａ）中の矢印Ｂ方向から見た説明図であり、この実施例の布類検査装置は、先の実施例と同様、送り出しコンベヤ５および受け取りコンベヤ６と、それらのコンベヤに設けられたジャンプ台７および受け台８と、それらの間の隙間Ｇをジャンプする拡げられた布類ＦをＬＥＤ１０の検査光の布類Ｆからの透過光および蛍光管１の検査光の布類Ｆからの反射光で撮影する下側の１次元ビデオカメラ１３と、ベースフレーム２０を介してフレーム４に支持されて１次元ビデオカメラ１３の光軸Ｌ１を屈曲させる反射鏡１４と、送り出しコンベヤ５上を移動する拡げられた布類Ｆを蛍光管１７の検査光の布類Ｆからの反射光で撮影する上側の１次元ビデオカメラ１９と、を具えており、埃避け手段の構成のみ異なっていることから、以下には埃避け手段について説明し、他の部分の説明は省略する。
【００３３】
すなわちこの実施例の布類検査装置は、図６（ａ），（ｂ）に拡大して示すように、反射鏡１４が、図示例では角パイプ状のベースフレーム２０に取り付けられ、そのベースフレーム２０の両端部が支持フレーム４に、反射鏡１４の向きを調節可能に固定支持されており、反射鏡１４の近傍の、光軸Ｌ１と干渉しない位置に、反射鏡１４に沿って中空管であるブローパイプ２９が配置され、そのブローパイプ２９が２個のブラケット３０を介して長手方向へ移動可能にベースフレーム２０に支持され、ブローパイプ２９の長手方向複数箇所に反射鏡１４へ向けて吹き出し口２９ａが設けられ、ブローパイプ２９の一端部（図６（ｂ）では右端部）が、もう一つのブラケット３１を介してこれもベースフレーム２０に支持されたエアシリンダ３２のピストンロッド３２ａに結合され、ブローパイプ２９の図示しない他端部が、図示しないエアホースを介して加圧エア源に接続され、これらブローパイプ２９とブラケット３０，３１とエアシリンダ３２とが、埃避け手段としてのブロー機構３３を構成し、特にブラケット３０，３１とエアシリンダ３２とが、吹き出し口２９ａを移動させる移動機構３４を構成している。
【００３４】
このブロー機構３３によれば、上記加圧エア源からブローパイプ２９内に供給された加圧エアを、ブローパイプ２９の長手方向の複数箇所に設けられた吹き出し口２９ａから反射鏡１４に向けて吹き出して、その加圧エアによる風Ｗを反射鏡１４の反射面１４ａに連続的に、またはある程度の間隔を置いて間欠的に吹きつけることができることから、反射面１４ａに埃がほとんど落下付着せず、付着した埃も風の力で反射面１４ａから吹き落とされるので、反射面１４ａへの埃の付着を減少させることができ、また、その移動機構３４によれば、エアシリンダ３２のピストンロッド３２ａを図６（ｂ）中矢印で示すように進退移動させることでブローパイプ２９の吹き出し口２９ａを図６（ｂ）中矢印で示すように往復移動させて、吹き出し口２９ａから反射面１４ａに吹きつける風Ｗを反射鏡１４に沿って移動させることができるので、ブロー機構３３の埃の吹き落とし効果を高めることができる。
【００３５】
従って、移動機構３４を持つブロー機構３３を有するこの実施例の布類検査装置３によれば、先の実施例と同様、拡げられた布類Ｆの両表面と内部の異常を検査できるとともに、拡げられた布類Ｆの表面または内部の汚れ等の異常をその布類Ｆの下側から検査するための反射鏡１４への埃の堆積を減らすかもしくは実質的になくして、布類Ｆの検査精度を長期間維持することができる。
【００３６】
以上、図示例に基づき説明したが、この発明は上述の例に限定されるものでなく特許請求の範囲の記載範囲内で適宜変更し得るものであり、例えば上記第３実施例ではブロー機構３３を単独で設けたが、このブロー機構３３を先の第１実施例における反射鏡向き変更機構２４または第２実施例におけるカバー移動機構２８と組み合わせてもよく、またブロー機構３３は、移動機構３４を持たず、反射鏡１４に対して固定されていてもよい。
【００３７】
さらに、上記各実施例では送り出しコンベヤ５と受け取りコンベヤ６との間の隙間Ｇを布類Ｆがジャンプして移動しているが、送り出しコンベヤ５と受け取りコンベヤ６との間の隙間Ｇに透明な板が渡され、その透明な板上を移動する布類Ｆを、反射鏡１４を介して下側からビデオカメラ１３が撮影するようにしてもよい。また、各ビデオカメラ１３，１９は、１次元ビデオカメラでなく２次元ビデオカメラとしてもよく、検査光の光源も、ＬＥＤに代えて蛍光管とし、あるいは蛍光管に代えてＬＥＤとしてもよく、さらにはＬＥＤや蛍光管以外の種類のものとしてもよい。
【産業上の利用可能性】
【００３８】
かくしてこの発明の布類検査装置によれば、拡げられた布類の表面または内部の汚れ等の異常をその布類の下側から検査するための反射鏡への埃の堆積を減らすかもしくは実質的になくして、布類の検査精度を長期間維持することができる。
【符号の説明】
【００３９】
１  アイロンローラ
２  折畳み機
２ａ  搬入コンベヤ
３  布類検査装置
４  支持フレーム
５  送り出しコンベヤ
６  受け取りコンベヤ
７  ジャンプ台
７ａ  櫛状部
７ｂ  連結部
８  受け台
９  コンベヤベルト
１０  ＬＥＤ
１１，１７  蛍光管
１２，１８，２６，３０，３１  ブラケット
１３，１９  １次元ビデオカメラ
１４  反射鏡
１４ａ  反射面
１５  黒板
１６  櫛状部材
２０  ベースフレーム
２１，２５  支持軸
２２  レバー
２３，３２  エアシリンダ
２３ａ，３２ａ  ピストンロッド
２４  反射鏡向き変更機構
２７  カバー
２８  カバー移動機構
２９  ブローパイプ
２９ａ  吹き出し口
３３  ブロー機構
３４  移動機構
Ｌ１，Ｌ２  光軸
Ｗ  風
【図１】
2014228399.tif 000003
【図２】
2014228399.tif 000004
【図３】
2014228399.tif 000005
【図４】
2014228399.tif 000006
【図５】
2014228399.tif 000007
【図６】
2014228399.tif 000008